(57)【特許請求の範囲】
【請求項１】
２次電池の製造方法であって、
前記２次電池は、
上部に突出した第１電極タップおよび第２電極タップを有する電極組立体と、
前記電極組立体の側部を覆う第１支持体と、
前記電極組立体および第１支持体を収容するケースと、
を含み、
前記第１支持体は前記電極組立体の一長側面と隣接する本体部と、前記本体部の両側端部に形成され、前記電極組立体の両短側面を覆い、当該両短側面の形状と対応する形状を有しており、弾性を有する側面部と、
を含み、
前記製造方法において、前記第１支持体は、前記側面部が前記ケースの外部方向に弾性変形した後、前記側面部の形状が復元されることにより、前記電極組立体の両側端部に密着して締結される、ことを特徴とする２次電池の製造方法。
【請求項２】
前記電極組立体は第１電極板と、第２電極板と、前記第１電極板および前記第２電極板の間に介在したセパレータと、を含み、
前記第１電極タップは前記第１電極板の無地部であり、
前記第２電極タップは前記第２電極板の無地部であることを特徴とする請求項１に記載の２次電池の製造方法。
【請求項３】
前記電極組立体は第１電極組立体および第２電極組立体を含み、
前記第１電極組立体の長側面と前記第２電極組立体の長側面は互いに対向することを特徴とする請求項１または２に記載の２次電池の製造方法。
【請求項４】
前記第１電極組立体および前記第２電極組立体はゼリーロール型であることを特徴とする請求項３に記載の２次電池の製造方法。
【請求項５】
前記本体部は、互いに対向する前記第１電極組立体の長側面と前記第２電極組立体の長側面の間に介在することを特徴とする請求項３または４に記載の２次電池の製造方法。
【請求項６】
前記側面部は、前記第１電極組立体の両短側面を覆う第１側面部セット、および前記第２電極組立体の両短側面を覆う第２側面部セットを含むことを特徴とする請求項３〜５のいずれか一項に記載の２次電池の製造方法。
【請求項７】
前記第１側面部セットは前記第１電極組立体の短側面形状と同じ形状を有し、
前記第２側面部セットは前記第２電極組立体の短側面形状と同じ形状を有することを特徴とする請求項６に記載の２次電池の製造方法。
【請求項８】
前記２次電池は、前記ケースと結合するキャップ組立体をさらに含み、
前記ケースは、上段開口部を有し、
前記キャップ組立体は、
前記ケースの前記上段開口部を密封するキャッププレートと、
前記第１電極タップと電気的に接続し、前記キャッププレートを貫通して上部に突出した第１端子部と、
前記第２電極タップと電気的に接続し、前記キャッププレートを貫通して上部に突出した第２端子部と、
を含むことを特徴とする請求項１〜７のいずれか一項に記載の２次電池の製造方法。
【請求項９】
前記第１電極タップは前記第１端子部に溶接され、前記第２電極タップは前記第２端子部に溶接されることを特徴とする請求項８に記載の２次電池の製造方法。
【請求項１０】
前記第１支持体の高さは前記電極組立体の長側面の高さ以下であることを特徴とする請求項１〜９のいずれか一項に記載の２次電池の製造方法。
【請求項１１】
前記２次電池は、前記電極組立体の下面とケースの間に介在した第２支持体をさらに含むことを特徴とする請求項１〜１０のいずれか一項に記載の２次電池の製造方法。
【請求項１２】
前記第１支持体および前記第２支持体は絶縁体であることを特徴とする請求項１１に記載の２次電池の製造方法。
【請求項１３】
前記ケースは、上段開口部を有し、
前記２次電池は、前記上段開口部を密閉するキャップ組立体をさらに含み、
前記第２支持体は、板状で、長辺方向の両側端部から前記キャップ組立体方向に突出して前記第１支持体と結合する第２結合部を含むことを特徴とする請求項１１または１２に記載の２次電池の製造方法。
【請求項１４】
前記第１支持体は、前記側面部の下端に前記第２結合部と結合する第１結合部をさらに含むことを特徴とする請求項１３に記載の２次電池の製造方法。
【請求項１５】
前記第１結合部は前記ケースの外側方向に突出した突起であり、前記第２結合部は前記第１結合部の形状と対応する形状のホールを含むことを特徴とする請求項１４に記載の２次電池の製造方法。
【発明の詳細な説明】
【技術分野】
【０００１】
本発明は、２次電池に関する。
【背景技術】
【０００２】
２次電池（Ｒｅｃｈａｒｇｅａｂｌｅ  ｂａｔｔｅｒｙ）は充電が不可能な一次電池とは違って、充電および放電が可能な電池であって、一つの電池セルがパック形態に包装された低容量電池の場合、携帯電話およびカムコーダーのような携帯が可能な小型電子機器に使われ、電池パックが数十個連結された電池パック単位の大容量電池の場合、ハイブリッド自動車などのモータ駆動用電源として幅広く使用されている。
【０００３】
２次電池は様々な形状に製造されているが、代表的形状としては、円筒形および角形が挙げられ、正極板および負極板との間に絶縁体であるセパレータを介在して形成された電極組立体と電解液とを共にケースに収容し、ケースにキャッププレートを設置して構成する。もちろん、前記電極組立体は正極端子および負極端子と連結され、これは前記キャッププレートを通して外部に露出または突出する。
【発明の概要】
【発明が解決しようとする課題】
【０００４】
しかし、２次電池に対する外部衝撃により電極組立体の変形が生じるという問題があった。
【０００５】
そこで、本発明は、上記問題に鑑みてなされたものであり、本発明の目的とするところは、２次電池に対する外部衝撃による電極組立体の変形を防止することが可能な、新規かつ改良された２次電池を提供することにある。
【課題を解決するための手段】
【０００６】
上記課題を解決するために、本発明のある観点によれば、上部に突出した第１電極タップおよび第２電極タップを有する電極組立体と、前記電極組立体の側部を覆う第１支持体と、前記電極組立体および第１支持体を収容するケースと、を含み、前記第１支持体は前記電極組立体の一長側面と隣接する本体部と、前記本体部に形成され、前記電極組立体の短側面を覆う弾性を有する側面部と、を含むことを特徴とする２次電池が提供される。
【０００７】
前記電極組立体は第１電極板と、第２電極板と、前記第１電極板および前記第２電極板の間に介在したセパレータと、を含み、前記第１電極タップは前記第１電極板の無地部であり、前記第２電極タップは前記第２電極板の無地部であってもよい。
【０００８】
前記電極組立体は第１電極組立体および第２電極組立体を含み、前記第１電極組立体の長側面と前記第２電極組立体の長側面は互いに対向してもよい。
【０００９】
前記第１電極組立体および前記第２電極組立体はゼリーロール型であってもよい。
【００１０】
前記本体部は、互いに対向する前記第１電極組立体の長側面と前記第２電極組立体の長側面の間に介在してもよい。
【００１１】
前記側面部は、前記第１電極組立体の両短側面を覆う第１側面部セット、および前記第２電極組立体の両短側面を覆う第２側面部セットを含んでもよい。
【００１２】
前記第１側面部セットは前記第１電極組立体の短側面形状と同じ形状を有し、前記第２側面部セットは前記第２電極組立体の短側面形状と同じ形状を有してもよい。
【００１３】
前記ケースと結合するキャップ組立体をさらに含み、前記ケースは、上段開口部を有し、前記キャップ組立体は、前記ケースの前記上段開口部を密封するキャッププレートと、前記第１電極タップと電気的に接続し、前記キャッププレートを貫通して上部に突出した第１端子部と、前記第２電極タップと電気的に接続し、前記キャッププレートを貫通して上部に突出した第２端子部と、を含んでもよい。
【００１４】
前記第１電極タップは前記第１端子部に溶接され、前記第２電極タップは前記第２端子部に溶接されてもよい。
【００１５】
前記第１支持体の高さは前記電極組立体の長側面の高さ以下であってもよい。
【００１６】
前記電極組立体の下面とケースの間に介在した第２支持体をさらに含んでもよい。
【００１７】
前記第１支持体および前記第２支持体は絶縁体であってもよい。
【００１８】
前記ケースは、上段開口部を有し、前記上段開口部を密閉するキャップ組立体をさらに含み、前記第２支持体は、板状で、長辺方向の両側端部から前記キャップ組立体方向に突出して前記第１支持体と結合する第２結合部を含んでもよい。
【００１９】
前記第１支持体は、前記側面部の下端に前記第２結合部と結合する第１結合部をさらに含んでもよい。
【００２０】
前記第１結合部は前記ケースの外側方向に突出した突起であり、前記第２結合部は前記第１結合部の形状と対応する形状のホールを含んでもよい。
【発明の効果】
【００２１】
以上説明したように本発明によれば、２次電池に対する外部衝撃による電極組立体の変形を防止することができる。
【図面の簡単な説明】
【００２２】
【図１】本発明の一実施例による２次電池を示した斜視図である。
【図２】図１の２次電池の２−２線断面に沿って切断した断面図である。
【図３】図１の２次電池の３−３線断面に沿って切断した断面図である。
【図４】図１に示す２次電池の、ケースを除いた内部構成を示した内部斜視図である。
【図５】図１に示す２次電池の第１電極組立体を拡大して示した斜視図である。
【図６】図１に示す２次電池の第１支持体を示した斜視図である。
【図７】本発明の他の実施例による２次電池を示した断面図である。
【図８】図７に示す２次電池の第１支持体を示した斜視図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
図１を参照すれば、本発明の一実施例による２次電池を示した斜視図が示されている。また、図２を参照すれば、図１の第１端子部１４０及び第２端子部１５０を通りキャッププレート１７１に垂直な２−２線断面に沿って切断した断面図が示されている。また、図３を参照すれば、図１の２−２線断面及びキャッププレート１７１に垂直な３−３線断面に沿って切断した断面図が示されている。また、図４を参照すれば、図１に示す２次電池の、ケース１６０を除いた内部構成を示した内部斜視図が示されている。
【００２５】
以下、図１〜図４を参照して、本発明の２次電池を説明する。
【００２６】
図１〜図４に示されているように、２次電池１００は複数の電極組立体１１０、第１支持体１２０、第２支持体１３０、第１端子部１４０、第２端子部１５０、ケース１６０およびキャップ組立体１７０を含む。
【００２７】
前記複数の電極組立体１１０は第１電極組立体１１１と第２電極組立体１１２を含んでもよい。以下、電極組立体１１０が２つである場合について説明する。前記第１電極組立体１１１は薄い板型あるいは膜型に形成された第１電極板１１１ａ、セパレータ１１１ｃ、第２電極板１１１ｂの積層体を巻き取って形成される。また、前記第２電極組立体１１２は薄い板型あるいは膜型に形成された第１電極板１１２ａ、セパレータ１１２ｃ、第２電極板１１２ｂの積層体を巻き取って形成される。
【００２８】
つまり、第１電極組立体１１１と第２電極組立体１１２は積層された第１電極板１１１ａ、１１２ａ、セパレータ１１１ｃ、１１２ｃおよび第２電極板１１１ｂ、１１２ｂを巻き取って形成されたゼリーロール型の電極組立体でありうる。また、複数の電極組立体１１１、１１２において、第１電極板１１１ａ、１１２ａは負極として動作でき、第２電極板１１１ｂ、１１２ｂは正極として動作でき、その逆も可能である。
【００２９】
前記第１電極組立体１１１および第２電極組立体１１２は同一形状の電極組立体であってもよく、以下、図５を参照して第１電極組立体１１１を説明する。
【００３０】
前記第１電極組立体１１１は平らで互いに対向する２つの長側面１１１ｆと、前記２つの長側面１１１ｆを連結し互いに対向する２つの短側面１１１ｇを備える。前記両短側面１１１ｇは、第１電極板１１１ａ、セパレータ１１１ｃ、第２電極板１１１ｂの積層体の巻取りによって形成されてもよく、曲面であってもよい。
【００３１】
前記第１電極板１１１ａは銅またはニッケルのような金属箔で形成された第１電極集電体に遷移金属酸化物などの第１電極活物質を塗布することによって形成され、第１電極活物質が塗布されない領域である第１電極無地部を含む。また、前記第１電極無地部は第１電極板１１１ａと、第１電極の外部間の電流の通路となる。つまり、第１電極無地部は第１電極組立体１１１の上部方向に突出して第１電極タップ１１１ｄとなることができる。一方、本発明は前記第１電極板１１１ａの材質に限定されるものではない。
【００３２】
前記第２電極板１１１ｂはアルミニウムのような金属箔で形成された第２電極集電体に黒鉛または炭素などの第２電極活物質を塗布することによって形成され、第２活物質が塗布されない領域である第２電極無地部を含む。前記第２電極無地部は第２電極板１１１ｂと、第２電極の外部間の電流の流れ通路となる。つまり、第２電極無地部は第１電極組立体１１１の上部方向に突出して第２電極タップ１１１ｅとなることができる。一方、本発明は前記第２電極板１１１ｂの材質に限定されるものではない。
【００３３】
前記セパレータ１１１ｃは第１電極板１１１ａと第２電極板１１１ｂの間に介在して電気的短絡を防止しリチウムイオンの移動を可能にする役割を果たし、ポリエチレンやポリプロピレンやポリエチレンとポリプロピレンの複合フイルムからなることができる。一方、本発明は前記セパレータ１１１ｃの材質に限定されるものではない。
【００３４】
このような第１電極組立体１１１は一長側面１１１ｆが前記第２電極組立体１１２の一長側面１１２ｆと互いに対向するように配置される。また、前記第１電極組立体１１１の一長側面１１１ｆと、前記第２電極組立体１１２の一長側面１１２ｆの間には第１支持体１２０が介在する。
【００３５】
前記第１電極組立体１１１の第１電極タップ１１１ｄと第２電極組立体１１２の第１電極タップ１１２ｄは第１端子部１４０と電気的に接続し、前記第１電極組立体１１１の第２電極タップ１１１ｅと第２電極組立体１１２の第２電極タップは第２端子部１５０と電気的に接続する。好ましくは、前記第１電極組立体１１１の第１電極タップ１１１ｄと第２電極組立体１１２の第１電極タップ１１２ｄは第１端子部１４０に溶接され、前記第１電極組立体１１１の第２電極タップ１１１ｅと第２電極組立体１１２の第２電極タップは第２端子部１５０に溶接されて電気的に接続することができる。
【００３６】
このような複数の電極組立体１１０は実質的に電解液と共に前記ケース１６０に収容される。前記電解液はＥＣ（ｅｔｈｙｌｅｎｅ  ｃａｒｂｏｎａｔｅ）、ＰＣ（ｐｒｏｐｙｌｅｎｅ  ｃａｒｂｏｎａｔｅ）、ＤＥＣ（ｄｉｅｔｈｙｌ  ｃａｒｂｏｎａｔｅ）、ＥＭＣ（ｅｔｈｙｌ  ｍｅｔｈｙｌ  ｃａｒｂｏｎａｔｅ）、ＤＭＣ（ｄｉｍｅｔｈｙｌ  ｃａｒｂｏｎａｔｅ）のような有機溶媒にＬｉＰＦ６、ＬｉＢＦ４のようなリチウム塩からなってもよい。また、前記電解液は液体、固体またはゲル状であってもよい。
【００３７】
前記第１支持体１２０は前記第１電極組立体１１１と第２電極組立体１１２の側部を覆い、前記複数の電極組立体１１０をケース１６０内側に固定することができる。前記第１支持体１２０は図６に示されており、以下、図５を参照して第１支持体１２０を説明する。
【００３８】
前記第１支持体１２０は板状の本体部１２１と、前記本体部１２１に形成され弾性を有する側面部１２２を含む。前記第１支持体１２０は一体型であってもよい。
【００３９】
前記本体部１２１は板状で第１電極組立体１１１と第２電極組立体１１２の間に介在する。前記本体部１２１は第１面１２１ａが第１電極組立体１１１の一長側面１１１ｆと隣接し、第１面１２１ａの反対面である第２面１２１ｂが第２電極組立体１１２の一長側面１１２ｆと隣接する。なお、本発明は本体部１２１の形状に限定されず、例えば本体部１２１はハニカム状であってもよい。
【００４０】
前記側面部１２２は前記本体部１２１の端部に形成され、複数の電極組立体１１０各々の両短側面を覆う。前記側面部１２２は複数の電極組立体１１０各々の短側面形状と同じ形状を有してもよい。
【００４１】
前記側面部１２２は前記第１電極組立体１１１の両短側面を覆う第１側面部セット１２２ａと、前記第２電極組立体１１２の両短側面を覆う第２側面部セット１２２ｂを含む。つまり、第１側面部セット１２２ａは第１電極組立体１１１の両短側面１１１ｇの形状と対応する曲面形状を有し、第１電極組立体１１１の両短側面１１１ｇを覆うことができる。また、第２側面部セット１２２ｂは第２電極組立体１１２の両短側面形状と対応する曲面形状を有し、第２電極組立体１１２の両短側面を覆うことができる。
【００４２】
前記側面部１２２の外面下部には第２支持体１３０と結合する第１結合部１２３がさらに備えられる。ここで、外面はケース１６０と対向する面であってもよい。前記第１結合部１２３は突起であるが、本発明はこれに限定されるものではない。
【００４３】
前記第１支持体１２０は第１電極組立体１１１および第２電極組立体１１２より上部または下部に突出しない。前記第１支持体１２０の高さは、第１電極組立体１１１の長側面および短側面の高さ以下である。好ましくは、第１支持体１２０の下面は第１電極組立体１１１の下面および第２電極組立体１１２の下面と同一面をなしてもよく、第１電極組立体１１１および第２電極組立体１１２の上面は第１支持体１２０より上部に突出してもよい。
【００４４】
また、曲面形状を有する前記側面部１２２は弾性を有してもよい。前記第１支持体１２０は、側面部１２２がケース１６０の外部方向に弾性変形した状態で電極組立体１１１、１１２と結合した後、側面部１２２の形状が復元されることにより電極組立体１１１、１１２の両側端部に密着して締結されてもよい。
【００４５】
前記第１支持体１２０は、第１電極組立体１１１と第２電極組立体１１２が第１端子部１４０と第２端子部１５０にそれぞれ溶接された以降に、第１電極組立体１１１および第２電極組立体１１２と順次結合する。
【００４６】
前記第１支持体１２０はポリプロピレン（ＰｏｌｙＰｒｏｐｙｌｅｎｅ）またはポリエチレン（ＰｏｌｙＥｔｈｙｌｅｎｅ）のうちいずれか一つからなるが、本発明は第１支持体１２０の材質に限定されるものではない。ただし、第１支持体１２０は絶縁物質からなる。
【００４７】
前記第１支持体１２０は電極組立体１１１、１１２および前記ケース１６０に収容される。
【００４８】
前記第２支持体１３０は板状で、前記電極組立体１１１、１１２の下面とケース１６０の間に介在する。前記第２支持体１３０は複数の電極組立体１１１、１１２の下面を覆うことができる。前記第２支持体１３０は複数の電極組立体１１１、１１２の下面と対応する形状を有してもよい。なお、本発明は第２支持体１３０の形状に限定されず、例えば本体部１２１はハニカム状であってもよい。前記第２支持体１３０は、長辺方向の両側端部から前記キャップ組立体１７０方向に突出して前記第１支持体１２０の第１結合部１２３と結合する第２結合部１３１を備える。
【００４９】
前記第２結合部１３１は、前記第１支持体１２０の側面部１２２の下部外面の一部を覆うことができ、前記側面部１２２と接触してもよい。このような第２結合部１３１には前記第１支持体１２０の第１結合部１２３と結合するためのホール１３１ａが備えられ、前記ホール１３１ａは前記第１結合部１２３と対応する形状を有する。
【００５０】
前記第２支持体１３０はポリプロピレン（ＰｏｌｙＰｒｏｐｙｌｅｎｅ）またはポリエチレン（ＰｏｌｙＥｔｈｙｌｅｎｅ）のうちいずれか一つからなるが、本発明は第２支持体１３０の材質に限定されるものではない。ただし、第２支持体１３０は絶縁物質からなる。
【００５１】
前記第１端子部１４０は主に金属またはその等価物からなり、第１電極組立体１１１と第２電極組立体１１２の第１電極タップ１１１ｄ、１１２ｄと電気的に接続する。前記第１端子部１４０は第１電極タップ１１１ｄ、１１２ｄと接続した第１締結端子１４１と、前記第１締結端子１４１に結合した第１電極端子１４２を含む。
【００５２】
前記第１締結端子１４１は後述するキャッププレート１７１を貫通して上部に突出し、前記キャッププレート１７１より下部において第１電極タップ１１１ｄ、１１２ｄと電気的に連結される。前記第１締結端子１４１がキャッププレート１７１の上部に突出するとともに、キャッププレート１７１より下部には第１締結端子１４１が前記キャッププレート１７１から抜けないように側部方向に延長されたフランジ１４１ａが形成される。前記第１締結端子１４１のうち、フランジ１４１ａの下面に第１電極タップ１１１ｄ、１１２ｄが溶接される。また、前記第１締結端子１４１のうち、前記フランジ１４１ａの上部に形成された領域はキャッププレート１７１を貫通して上部に突出し、前記突出した領域は第１電極端子１４２と結合して固定されてもよい。
【００５３】
前記第１電極端子１４２は上面と下面を貫通する第１端子ホール１４２ａを備え、板形状を有する。前記第１電極端子１４２の第１端子ホール１４２ａは第１締結端子１４１が収容されるために、第１締結端子１４１の水平方向の大きさおよび形状と対応するように形成されてもよい。前記第１電極端子１４２は、前記第１端子ホール１４２ａに嵌合されキャッププレート１７１の上部に突出した第１締結端子１４１とリベットまたは溶接により結合されてもよい。
【００５４】
このような前記第１端子部１４０は、例えば、銅、銅合金およびその等価物の中から選択されたいずれか一つから製造できる。しかし、前記第１端子部１４０の材質はこのような材質に限定されるものではない。
【００５５】
前記第２端子部１５０は主に金属またはその等価物からなり、第１電極組立体１１１と第２電極組立体１１２の第２電極タップと電気的に接続する。また、第２端子部１５０はキャッププレート１７１と電気的に接続する。前記第２端子部１５０は第１電極組立体１１１と第２電極組立体１１２の第２電極タップと接続した第２締結端子１５１と、前記第２締結端子１５１に結合した第２電極端子１５２を含む。
【００５６】
前記第２締結端子１５１は後述するキャッププレート１７１を貫通して上部に突出し、前記キャッププレート１７１より下部で第２電極タップと電気的に連結される。前記第２締結端子１５１はキャッププレート１７１の上部に突出するとともに、キャッププレート１７１より下部には第２締結端子１５１が前記キャッププレート１７１から抜けないように側部方向に延長されたフランジ１５１ａが形成される。前記第２締結端子１５１のうち、フランジ１５１ａの下面には第２電極タップが溶接されてもよい。また、前記第２締結端子１５１のうち、前記フランジ１５１ａの上部に形成された領域はキャッププレート１７１を貫通して上部に突出し、前記突出した領域には第２電極端子１５２が固定される。
【００５７】
前記第２電極端子１５２は上面と下面を貫通する第２端子ホール１５２ａを備え、板形状を有する。前記第２電極端子１５２の第２端子ホール１５２ａは第２締結端子１５１が収容されるために、第２締結端子１５１の水平方向の大きさおよび形状と対応するように形成されてもよい。前記第２電極端子１５２は、前記第２端子ホール１５２ａに嵌合されキャッププレート１７１の上部に突出した第２締結端子１５１とリベットまたは溶接により結合されてもよい。
【００５８】
このような前記第２端子部１５０は、例えば、アルミニウム、アルミニウム合金およびその等価物の中から選択されたいずれか一つから製造できる。しかし、前記第２端子部１５０の材質はこのような材質に限定されるものではない。
【００５９】
前記ケース１６０はアルミニウム、アルミニウム合金またはニッケルめっきされたスチールのような導電性金属により形成され、電極組立体１１０、第１支持体１２０および第２支持体１３０が挿入安着できる開口部が形成されたほぼ六面体形状で構成される。図１には前記ケース１６０とキャップ組立体１７０が結合した状態が示されているので、開口部は示されていないが、キャップ組立体１７０に対応する部分はケース１６０の実質的に開放された部分である。
【００６０】
前記キャップ組立体１７０は前記ケース１６０に結合する。前記キャップ組立体１７０は具体的にキャッププレート１７１、シールガスケット１７２、キャップ１７３、安全ベント１７４、および絶縁部材１７５を含む。もちろん、前記シールガスケット１７２と絶縁部材１７５は前記第１端子部１４０および第２端子部１５０の構成要素とみなすことができる。
【００６１】
前記キャッププレート１７１は前記ケース１６０の開口を密封し、前記ケース１６０と同じ材質で形成されてもよい。例えば、前記キャッププレート１７１はレーザ溶接方式で前記ケース１６０に結合する。ここで、もし、前記キャッププレート１７１が前記第２端子部１５０に電気的に接続すれば、前記キャッププレート１７１は前記第２端子部１５０と同じ極性を有することができる。もちろん、これによって前記キャッププレート１７１およびケース１６０は同じ極性を有することができる。
【００６２】
前記シールガスケット１７２は絶縁性材質で第１締結端子１４１および第２締結端子１５１それぞれとキャッププレート１７１の間に形成されて、第１締結端子１４１および第２締結端子１５１それぞれとキャッププレート１７１の間を密封する。このようなシールガスケット１７２は、外部の水分が２次電池１００の内部に浸透できないようにし、または２次電池１００の内部に収容された電解液が外部に流出しないようにする。
【００６３】
前記キャップ１７３は前記キャッププレート１７１の電解液注入口１７１ａを密封し、前記安全ベント１７４はキャッププレート１７１のベントホール１７１ｂに設置され、設定された圧力から開放されるように切欠１７４ａを形成してもよい。
【００６４】
前記絶縁部材１７５は第１電極端子１４２および第２電極端子１５２のそれぞれとキャッププレート１７１の間に形成される。また、前記絶縁部材１７５は前記キャッププレート１７１と密着する。さらに、前記絶縁部材１７５はシールガスケット１７２に密着してもよい。このような絶縁部材１７５は第１電極端子１４２および第２電極端子１５２のそれぞれとキャッププレート１７１を絶縁させる。さらに、このような絶縁部材１７５は第１電極端子１４２および第２電極端子１５２のそれぞれと前記キャッププレート１７１の間の不必要な短絡を防止することもできる。
【００６５】
このような本発明の２次電池１００は、第１支持体１２０および第２支持体１３０により、フレキシブルな電極タップを備えた複数の電極組立体１１０をケース１６０内側に固定、絶縁させることができる。また、前記２次電池１００は、弾性を有する第１支持体１２０および第２支持体１３０により、２次電池１００の外部衝撃による複数の電極組立体１１０各々の変形を緩衝作用により防止することができる。
【００６６】
図７を参照すれば、本発明の他の実施例による２次電池を示した断面図が示されている。図７に示されているように２次電池２００は電極組立体１１０、第１支持体２２０、第２支持体１３０、第１端子部１４０、第２端子部１５０、ケース１６０およびキャップ組立体１７０を含む。図７に示された２次電池２００は一つの電極組立体１１０を備えおり、一つの電極組立体１１０を支持するための第１支持体２２０の構成は図１〜図４に示された２次電池１００と相異する。以下、図７に示された２次電池２００において、図１〜図４に示された２次電池１００と相異した第１支持体２２０の構成を中心に説明する。また、図７に示された２次電池２００の斜視図は図１に示された２次電池１００と同一であってもよい。
【００６７】
前記第１支持体２２０は、一つの電極組立体１１０の側部を覆い、電極組立体１１０をケース１６０の内側に固定できる。前記第１支持体２２０は図８に示されており、以下、図５を参照して第１支持体２２０を説明する。
【００６８】
前記第１支持体２２０は板状の本体部２２１と、前記本体部２２１に形成され弾性を有する側面部２２２を含む。前記第１支持体２２０の本体部２２１と側面部２２２は一体型であってもよい。
【００６９】
前記本体部２２１は板状で電極組立体１１０の一長側面とケース１６０の間に介在する。前記本体部２２１は、第１面２２１ａが電極組立体１１０の一長側面と隣接し、第１面２２１ａの反対面である第２面２２１ｂがケース１６０の内面と対向してもよい。なお、本発明は本体部２２１の形状に限定されず、例えば本体部２２１はハニカム状であってもよい。
【００７０】
前記側面部２２２は、前記本体部２２１の両側端部に形成され、電極組立体１１０の両短側面を覆う。前記側面部２２２は電極組立体１１０の短側面形状と同じ形状を有してもよい。前記側面部２２２は、電極組立体１１０の両短側面形状と対応する曲面形状を有し、本体部２２１から延長されて電極組立体１１０の両短側面を覆う一対をなす。
【００７１】
前記側面部２２２の外面下部には第２支持体１３０と結合するための第１結合部２２３がさらに備えられている。ここで、外面はケース１６０と対向する面であってもよい。前記第１結合部２２３は突起であるが、本発明はこれに限定されるものではない。
【００７２】
前記第１支持体２２０は電極組立体１１０より上部または下部に突出しない。前記第１支持体２２０の高さは、電極組立体１１０の長側面および短側面の高さ以下であってもよい。好ましくは、第１支持体２２０の下面は電極組立体１１０の下面と同一面をなしてもよく、電極組立体１１０の上面は第１支持体２２０より上部に突出してもよい。
【００７３】
また、曲面形状を有する前記側面部２２２は弾性を有してもよい。前記第１支持体２２０は、側面部２２２がケース１６０の外部方向に弾性変形した状態で電極組立体１１０と結合した後、側面部２２２の形状が復元されることにより電極組立体１１０の両側端部に密着して締結されてもよい。
【００７４】
前記第１支持体２２０は、電極組立体１１０の第１電極タップおよび第２電極タップがそれぞれ第１端子部１４０と第２端子部１５０に溶接された以降に、電極組立体１１０と結合する。
【００７５】
前記第１支持体２２０はポリプロピレン（ＰｏｌｙＰｒｏｐｙｌｅｎｅ）またはポリエチレン（ＰｏｌｙＥｔｈｙｌｅｎｅ）のうちいずれか一つからなるが、本発明は第１支持体２２０の材質に限定されるものではない。ただし、第１支持体２２０は絶縁物質からなる。
【００７６】
前記第１支持体２２０は電極組立体１１０とケース１６０の内部空間内に収容される。
【００７７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７８】
１００  ２次電池
１１０  電極組立体
１１１  第１電極組立体
１１１ａ、１１２ａ  第１電極板
１１１ｂ、１１２ｂ  第２電極板
１１１ｃ、１１２ｃ  セパレータ
１１１ｄ、１１２ｄ  第１電極タップ
１１１ｅ  第２電極タップ
１１２  第２電極組立体
１１２ｄ  第１電極タップ
１１２ｆ  一長側面
１２０、２２０  第１支持体
１２１、２２１  本体部
１２２、２２２  側面部
１２３、２２３  第１結合部
１３０  第２支持体
１３１  第２結合部
１４０  第１端子部
１４１  第１締結端子
１４１ａ  フランジ
１４２  第１電極端子
１４２ａ  第１端子ホール
１５０  第２端子部
１５１  第２締結端子
１５１ａ  フランジ
１５２  第２電極端子
１５２ａ  第２端子ホール
１６０  ケース
１７０  キャップ組立体
１７１  キャッププレート
１７１ａ  電解液注入口
１７１ｂ  ベントホール
１７２  シールガスケット
１７３  キャップ
１７４  安全ベント
１７４ａ  切欠
１７５  絶縁部材
【図１】
0006595162.tif 000002
【図２】
0006595162.tif 000003
【図３】
0006595162.tif 000004
【図４】
0006595162.tif 000005
【図５】
0006595162.tif 000006
【図６】
0006595162.tif 000007
【図７】
0006595162.tif 000008
【図８】
0006595162.tif 000009